(57)【要約】【課題】マルチ画面に表示される映像おいて、使用時間がある程度の時間に達する前は白の色度をほぼ一定に維持し、使用時間がある程度の時間に達した後は輝度が大きく低下することを抑制し、輝度および色度が不均一になることを抑制する。【解決手段】赤色光、緑色光および青色光の最低維持率が閾値を下回る最低維持率を含まない場合は、赤色光、緑色光および青色光の輝度がそれぞれ赤色光、緑色光および緑色光の最低維持率に基づいて制御される。赤色光、緑色光および青色光の最低維持率が閾値を下回る最低維持率を含む場合は、閾値を下回る最低維持率を有する光の輝度が当該光の最低維持率に基づいて制御される。赤色光、緑色光および青色光の最低維持率が閾値を下回らない最低維持率を含むときは、閾値を下回らない最低維持率を有する光の輝度が閾値に基づいて制御される。【選択図】図８
2017168901.tif 000002
【特許請求の範囲】
【請求項１】
ｍが２以上の整数であるｍ個の映像表示装置を備え、
前記ｍ個の映像表示装置の各々は、
マルチ画面を構成する画面と、
ｎが３以上の整数であり互いに異なる色を有する第１から第ｎまでの光をそれぞれ発する第１から第ｎまでの発光ダイオードと、
前記第１から第ｎまでの光の輝度をそれぞれ示す第１から第ｎまでの輝度値を測定する光センサーと、
（１）ｉが１からｎまでの各々である場合に第ｉの輝度維持率が第ｉの初期の輝度値に対する第ｉの輝度値の比であるような第１から第ｎまでの輝度維持率を算出し、（２）ｉが１からｎまでの各々である場合に第ｉの最低維持率が前記ｍ個の映像表示装置においてそれぞれ算出されるｍ個の第ｉの輝度維持率のうちの最低値であるような第１から第ｎまでの最低維持率を取得し、（３）前記第１から第ｎまでの最低維持率に共通する閾値を設定し、（４）前記第１から第ｎまでの最低維持率が前記閾値を下回る最低維持率を含まない場合は、前記第１から第ｎまでの発光ダイオードにより発せられる光の輝度を示す輝度値がそれぞれ第１から第ｎまでの初期の輝度値に前記第１から第ｎまでの最低維持率のうちの最低値を乗じたものとなるように前記第１から第ｎまでの発光ダイオードにより発せられる光の輝度を制御し、（５）前記第１から第ｎまでの最低維持率が前記閾値を下回る第ｊの最低維持率を含む場合は、第ｊの発光ダイオードにより発せられる光の輝度を示す輝度値が第ｊの初期の輝度値に前記第ｊの最低維持率を乗じたものとなるように前記第ｊの発光ダイオードにより発せられる光の輝度を制御し、前記第１から第ｎまでの最低維持率が前記閾値を下回らない第ｋの最低維持率をさらに含むときは、第ｋの発光ダイオードにより発せられる光の輝度を示す輝度値が第ｋの初期の輝度値に前記閾値を乗じたものとなるように前記第ｋの発光ダイオードにより発せられる光の輝度を制御する輝度制御部と、
を備える
マルチ画面表示装置。
【請求項２】
前記第１から第ｎまでの発光ダイオードは、赤色光、緑色光および青色光をそれぞれ発する赤色発光ダイオード、緑色発光ダイオードおよび青色発光ダイオードであり、
前記第１から第ｎまでの光は、前記赤色光、前記緑色光および前記青色光であり、
前記赤色光、前記緑色光および前記青色光を合成し、前記赤色光、前記緑色光および前記青色光に共通の光路を進ませる光合成光学系
をさらに備える
請求項１のマルチ画面表示装置。
【請求項３】
前記ｍ個の映像表示装置の各々は、
前記第１から第ｎまでの光の各々を変調し、前記第１から第ｎまでの光の各々について前記画面に照射されるオン光および前記光センサーに受光されるオフ光を生成するデジタルミラーデバイスと、
をさらに備える
請求項１または２のマルチ画面表示装置。
【発明の詳細な説明】
【技術分野】
【０００１】
本発明は、マルチ画面表示装置に関する。
【背景技術】
【０００２】
マルチ画面表示装置においては、複数個の映像表示装置にそれぞれ備えられる複数個の画面が組み合わされ、組み合わされた複数個の画面により１個の大規模なマルチ画面が構成され、構成されたマルチ画面に映像が表示される。マルチ画面に表示される映像には、色再現性が重要視されるものもあるし、色再現性が重要視されないものものある。色再現性が重要視される映像は、カメラ映像、テレビジョン映像等である。色再現性が重要視されない映像は、通信系統図、運行系統図等の原色を基調とするものである。
【０００３】
複数個の映像表示装置の各々は、例えば投写型映像表示装置である。投写型映像表示装置においては、光源により発せられた光が映像表示デバイスにより映像光に変換され、変換により生成された映像光がスクリーンの背面に照射され、映像がスクリーンに投写される。これにより、スクリーンがカラー映像を表示する画面になる。
【０００４】
近年においては、投写型映像表示装置の消費電力を減らし投写型映像表示装置の寿命を長くするために、発光ダイオード（ＬＥＤ）が光源として広く使用されている。例えば、赤色ＬＥＤ、緑色ＬＥＤおよび青色ＬＥＤが光源として使用される。赤色ＬＥＤ、緑色ＬＥＤおよび青色ＬＥＤが光源として使用される場合は、赤色ＬＥＤ、緑色ＬＥＤおよび青色ＬＥＤによりそれぞれ発せられる赤色光、緑色光および青色光がダイクロイックミラー、ダイクロイックプリズム等により合成され、合成により生成された合成光がデジタルミラーデバイス（ＤＭＤ）等の画像表示デバイスにより変調され、変調により生成された映像光がスクリーンの背面に照射され、カラー映像がスクリーンに投写される。これにより、スクリーンがカラー映像を表示する画面になる。
【０００５】
光源として使用されるＬＥＤは、その特性に関して個体差を有する。このため、ＬＥＤが光源として使用される場合は、複数個の画面に表示される映像において、マルチ画面表示装置の使用が開始される時にまたはマルチ画面表示装置の使用時間が長くなるにつれて、輝度および色度が不均一になる場合がある。マルチ画面表示装置においては組み合わされた複数個の画面によりマルチ画面が構成されるので、複数個の画面に表示される映像において輝度および色度が不均一になった場合は、複数個の画面に表示される映像における輝度および色度の不均一さが目立ち、複数個の画面の一体感が損なわれる。このため、ＬＥＤが光源として使用される場合は、複数個の画面に表示される映像において輝度および色度が均一になるように複数個の映像表示装置の各々が調整される。
【０００６】
特許文献１に記載された技術においては、電源ボタンが入れられる時に、液晶表示装置に備えられる複数個の液晶プロジェクタの各々に備えられる輝度・色度センサーが動作させられ、測定結果が理想の白の範囲に収まるように色度補正が実施され、複数個のプロジェクタのそれぞれにおける複数個の輝度のうちの最も低い輝度に合わせて複数のプロジェクタの各々が調整される。これにより、複数個のプロジェクタにより構成される画面全体の輝度および色度が常に均一になる。
【０００７】
また、特許文献２に記載された技術においては、マルチ画面表示装置に備えられるマスター投射型表示装置およびスレーブ投写型表示装置にそれぞれ備えられる２個の輝度・色度データからマルチ画面全体の目標輝度・色度が算出され、マスター投射型表示装置およびスレーブ投写型表示装置の各々において、算出された目標輝度・色度を生じさせるための補正係数が演算され、演算された補正係数を入力として映像信号に対する輝度および色度の補正が行われる。これにより、マスター投射型表示装置およびスレーブ投写型表示装置間の輝度・色度の差が少なくなるように自動的に調整が行われる。
【先行技術文献】
【特許文献】
【０００８】
【特許文献１】特開平１０−９０６４５号公報
【特許文献２】特許第４８２３６６０号明細書
【発明の概要】
【発明が解決しようとする課題】
【０００９】
赤色ＬＥＤ、緑色ＬＥＤおよび青色ＬＥＤに備えられる発光部は、互いに異なる構造を有し、互いに異なる材料により構成される。このため、赤色ＬＥＤ、緑色ＬＥＤおよび青色ＬＥＤは、互いに異なる寿命を有し、使用時間が長くなるにつれて輝度が低下してゆく割合に関して互いに異なる特性を有する。また、ＬＥＤが有する寿命は、ＬＥＤが使用される環境によって変化し、ＬＥＤが使用される環境の温度が高くなるほど短くなる。さらに、ＬＥＤがパルス幅変調方式により駆動される場合は、ＬＥＤが有する寿命は、駆動信号のデューティー比が大きくなりＬＥＤの点滅周期に対するＬＥＤの点灯時間の比が大きくなるほど短くなる。したがって、赤色ＬＥＤ、緑色ＬＥＤおよび青色ＬＥＤが光源として使用される場合は、赤色光、緑色光および青色光の輝度の低下量が互いに異なる。
【００１０】
このため、赤色ＬＥＤ、緑色ＬＥＤおよび青色ＬＥＤが光源として使用される場合に、特許文献１に記載された技術のような白の色度を略一定に維持する調整が行われたときは、赤色光、緑色光および青色光のうちの輝度が最も低下した光の輝度に合わせて残余の光の輝度が低下させられ、赤色光、緑色光および青色光の輝度バランスが維持される。したがって、複数個の画面の各々において輝度が大きく低下し、マルチ画面において輝度が大きく低下する。この問題は、赤色ＬＥＤ、緑色ＬＥＤおよび青色ＬＥＤが、赤色ＬＥＤ、緑色ＬＥＤおよび青色ＬＥＤ以外の３個以上のＬＥＤに置き換えられた場合にも生じる。
【００１１】
本発明は、この問題を解決するためになされる。本発明が解決しようとする課題は、マルチ画面に表示される映像おいて、使用時間がある程度の時間に達する前は白の色度をほぼ一定に維持し、使用時間がある程度の時間に達した後は輝度が大きく低下することを抑制し、輝度および色度が不均一になることを抑制することである。
【課題を解決するための手段】
【００１２】
マルチ画面表示装置は、ｍ個の映像表示装置を備える。ｍは、２以上の整数である。
【００１３】
ｍ個の映像表示装置の各々は、画面、第１から第ｎまでの発光ダイオード、光センサーおよび輝度制御部を備える。ｎは、３以上の整数である。
【００１４】
画面は、マルチ画面を構成する。
【００１５】
第１から第ｎまでの発光ダイオードは、それぞれ互いに異なる色を有する第１から第ｎまでの光を発する。
【００１６】
光センサーは、第１から第ｎまでの光の輝度をそれぞれ示す第１から第ｎまでの輝度値を測定する。
【００１７】
輝度制御部は、下記の制御を行う。
【００１８】
（１）第１から第ｎまでの輝度維持率が算出される。第ｉの輝度維持率は、ｉが１からｎまでの各々である場合に、第ｉの初期の輝度値に対する第ｉの輝度値の比である。
【００１９】
（２）第１から第ｎまでの最低維持率が取得される。第ｉの最低維持率は、ｉが１からｎまでの各々である場合に、ｍ個の映像表示装置においてそれぞれ算出されるｍ個の第ｉの輝度維持率のうちの最低値である。
【００２０】
（３）第１から第ｎまでの最低維持率に共通する閾値が設定される。
【００２１】
（４）第１から第ｎまでの最低維持率が閾値を下回る最低維持率を含まない場合は、第１から第ｎまでの発光ダイオードにより発せられる光の輝度を示す輝度値がそれぞれ第１から第ｎまでの初期の輝度値に第１から第ｎまでの最低維持率のうちの最低値を乗じたものとなるように第１から第ｎまでの発光ダイオードにより発せられる光の輝度が制御される。
【００２２】
（５）第１から第ｎまでの最低維持率が閾値を下回る第ｊの最低維持率を含む場合は、第ｊの発光ダイオードにより発せられる光の輝度を示す輝度値が第ｊの初期の輝度値に第ｊの最低維持率を乗じたものとなるように第ｊの発光ダイオードにより発せられる光の輝度が制御される。第１から第ｎまでの最低維持率が閾値を下回らない第ｋの最低維持率をさらに含むときは、第ｋの発光ダイオードにより発せられる光の輝度を示す輝度値が第ｋの初期の輝度値に閾値を乗じたものとなるように第ｋの発光ダイオードにより発せられる光の輝度が制御される。
【発明の効果】
【００２３】
ｍ個の映像表示装置の各々において、ｍ個の映像表示装置に共通する閾値または第１から第ｎまでの最低維持率のうちの最低値に基づいてｎ個の光の輝度が制御される。このため、ｍ個の画面に表示される映像において、輝度および色度が同様に変化する。したがって、マルチ画面に表示される映像において、使用時間が長くなるにつれて輝度および色度が不均一になることが抑制される。
【００２４】
また、ｍ個の映像表示装置の各々において、ｎ個の最低維持率が閾値を下回る最低維持率を含むようになる前は、ｎ個の光に共通する第１から第ｎまでの最低維持率のうちの最低値に基づいて第１から第ｎまでの発光ダイオードの各々により発せられる光の輝度が制御される。したがって、使用時間がある程度の時間に達するまでは、ｍ個の画面の各々に表示される映像において白の色度がほぼ一定に維持され、マルチ画面に表示される映像において白の色度がほぼ一定に維持される。
【００２５】
さらに、ｍ個の映像表示装置の各々において、ｎ個の最低維持率が閾値を下回る最低維持率を含むようになった後は、閾値を下回る最低維持率を有する光の輝度が最低維持率に基づいて制御されるが、閾値を下回ってない最低維持率を有する光の輝度が閾値に基づいて制御される。このため、ｍ個の映像表示装置の各々において閾値を下回ってない最低維持率を有する光の輝度が大きく低下することが抑制され、ｍ個の画面の各々に表示される映像において輝度が大きく低下することが抑制され、マルチ画面に表示される映像において輝度が大きく低下することが抑制される。
【００２６】
これらにより、マルチ画面に表示される映像において、使用時間がある程度の時間に達する前は白の色度がほぼ一定に維持され、使用時間がある程度の時間に達した後は輝度が大きく低下することが抑制され、輝度および色度が不均一になることが抑制される。
【図面の簡単な説明】
【００２７】
【図１】マルチ画面表示装置を示す模式図である。
【図２】マルチ画面表示装置を示す模式図である。
【図３】マスター装置における輝度維持率の使用時間による変化の例を示すグラフである。
【図４】スレーブ装置における輝度維持率の使用時間による変化の例を示すグラフである。
【図５】最低維持率となる輝度維持率の使用時間による変化の例を示すグラフである。
【図６】マスター装置における最低維持率の取得の流れを示すフローチャートである。
【図７】スレーブ装置における最低維持率の取得の流れを示すフローチャートである。
【図８】マスター装置における輝度の制御の流れを示すフローチャートである。
【図９】輝度の制御が行われた後の輝度維持率の使用時間による変化の例を示すグラフである。
【図１０】特開平１０−９０６４５号公報に記載された技術が援用されたマルチ画面表示装置における輝度の制御が行われた後の輝度維持率の使用時間による変化の例を示すグラフである。
【図１１】最低維持率となる輝度維持率の使用時間による変化の例を示すグラフである。
【図１２】輝度の制御が行われた後の輝度維持率の使用時間による変化を示すグラフである。
【発明を実施するための形態】
【００２８】
１  マルチ画面表示装置
図１および２の各々は、この実施の形態のマルチ画面表示装置を示す模式図である。図１は、マルチ画面表示装置に備えられるハードウェアを示す。図２は、マルチ画面表示装置に備えられる輝度制御系を示す。
【００２９】
図１および２の各々に示されるマルチ画面表示装置１００は、マスター投写型映像表示装置（以下では「マスター装置」という。）１０４ｍ、スレーブ投写型映像表示装置（以下では「スレーブ装置」という。）１０４ｓおよび通信ケーブル１０６を備える。
【００３０】
マスター装置１０４ｍは、光源１０８ｍ、ダイクロイックミラー１１０ｍ、リレーレンズ１１２ｍ、内部全反射（ＴＩＲ）プリズム１１４ｍ、デジタルミラーデバイス（ＤＭＤ）１１６ｍ、投写レンズ１１８ｍ、スクリーン１２０ｍ、三原色光センサー１２２ｍ、処理回路１２４ｍ、記憶装置１２６ｍおよび処理回路１２８ｍを備える。光源１０８ｍは、赤色発光ダイオード（ＬＥＤ）１３２ｍ、緑色ＬＥＤ１３４ｍおよび青色ＬＥＤ１３６ｍを備える。処理回路１２４ｍ、記憶装置１２６ｍおよび処理回路１２８ｍは、図２に示される輝度制御部１４０ｍを構成する。
【００３１】
スレーブ装置１０４ｓは、光源１０８ｓ、ダイクロイックミラー１１０ｓ、リレーレンズ１１２ｓ、ＴＩＲプリズム１１４ｓ、ＤＭＤ１１６ｓ、投写レンズ１１８ｓ、スクリーン１２０ｓ、三原色光センサー１２２ｓ、処理回路１２４ｓおよび記憶装置１２６ｓを備える。光源１０８ｓは、赤色ＬＥＤ１３２ｓ、緑色ＬＥＤ１３４ｓおよび青色ＬＥＤ１３６ｓを備える。処理回路１２４ｓおよび記憶装置１２６ｓは、図２に示される輝度制御部１４０ｓを構成する。
【００３２】
スレーブ装置１０４ｓに備えられる光源１０８ｓ、ダイクロイックミラー１１０ｓ、リレーレンズ１１２ｓ、ＴＩＲプリズム１１４ｓ、ＤＭＤ１１６ｓ、投写レンズ１１８ｓ、スクリーン１２０ｓおよび三原色光センサー１２２ｓは、それぞれマスター装置１０４ｍに備えられる光源１０８ｍ、ダイクロイックミラー１１０ｍ、リレーレンズ１１２ｍ、ＴＩＲプリズム１１４ｍ、ＤＭＤ１１６ｍ、投写レンズ１１８ｍ、スクリーン１２０ｍおよび三原色光センサー１２２ｍと同様のものである。
【００３３】
マルチ画面表示装置１００は、マスター装置１０４ｍおよびスレーブ装置１０４ｓという２個の投写型映像表示装置を備え、マルチ画面１４４を有する。マルチ画面１４４は、スクリーン１２０ｍおよび１２０ｓにより構成される。マルチ画面表示装置１００においては、マスター装置１０４ｍおよびスレーブ装置１０４ｓが組み合わされる。マルチ画面１４４においては、スクリーン１２０ｍおよび１２０ｓが組み合わされる。２個の投写型映像表示装置が３個以上の投写型映像表示装置に置き換えられてもよい。輝度制御部１４０ｍまたは１４０ｓによる輝度の制御が、投写型映像表示装置でない映像表示装置において行われてもよい。
【００３４】
２  マスター装置およびスレーブ装置
マスター装置１０４ｍにおいては、赤色ＬＥＤ１３２ｍ、緑色ＬＥＤ１３４ｍおよび青色ＬＥＤ１３６ｍが、それぞれ赤色光１４８ｍ、緑色光１５０ｍおよび青色光１５２ｍを発する。赤色ＬＥＤ１３２ｍ、緑色ＬＥＤ１３４ｍおよび青色ＬＥＤ１３６ｍが、赤色ＬＥＤ、緑色ＬＥＤおよび青色ＬＥＤ以外の、互いに異なる色を有する３個以上の光をそれぞれ発する３個以上のＬＥＤに置き換えられてもよい。
【００３５】
光源１０８ｍが光を発する時間は、赤色ＬＥＤ１３２ｍが赤色光１４８ｍを発する第１の点灯時間、緑色ＬＥＤ１３４ｍが緑色光１５０ｍを発する第２の点灯時間および青色ＬＥＤ１３６ｍが青色光１５２ｍを発する第３の点灯時間に時分割される。
【００３６】
ダイクロイックミラー１１０ｍは、発せられた赤色光１４８ｍ、緑色光１５０ｍおよび青色光１５２ｍを合成し、合成光１５６ｍを生成する。ダイクロイックミラー１１０ｍは、特定の波長を有する光を反射しそれ以外の光を透過させる反射面を有する。合成光１５６ｍに含まれる赤色光１４８ｍ、緑色光１５０ｍおよび青色光１５２ｍの各々は、共通の光路を進む。ダイクロイックミラー１１０ｍが他の種類の光合成光学系に置き換えられてもよい。例えば、ダイクロイックミラー１１０ｍがダイクロイックプリズムに置き換えられてもよい。
【００３７】
生成された合成光１５６ｍは、リレーレンズ１１２ｍおよびＴＩＲプリズム１１４ｍを通過し、ＤＭＤ１１６ｍに照射される。合成光１５６ｍがＴＩＲプリズム１１４ｍを通過する場合は、ＴＩＲプリズム１１４ｍが有する全反射面に合成光１５６ｍが反射される。リレーレンズ１１２ｍおよびＴＩＲプリズム１１４ｍからなる光学系が他の光学系に置き換えられてもよい。
【００３８】
ＤＭＤ１１６ｍは、照射された合成光１５６ｍを変調し、第１の点灯時間、第２の点灯時間および第３の点灯時間の各々においてオン光１６０ｍおよびオフ光１６２ｍを生成することにより、赤色光１４８ｍ、緑色光１５０ｍおよび青色光１５２ｍの各々についてオン光１６０ｍおよびオフ光１６２ｍを生成する。ＤＭＤ１１６ｍが合成光１５６ｍを変調する場合は、ＤＭＤ１１６ｍに入力された映像信号に応じて、ＤＭＤ１１６ｍに備えられるマイクロミラーの傾きが変化し、照射された合成光１５６ｍの反射方向が変化する。映像信号が増幅される場合のゲインが大きくなりＤＭＤ１１６ｍに入力される映像信号が大きくなった場合は、オン光１６０ｍが生成される時間が長くなり、輝度が高くなる。ＤＭＤ１１６ｍが他の種類の画像表示デバイスに置き換えられてもよい。
【００３９】
オン光１６０ｍは、投写レンズ１１８ｍを通過し、スクリーン１２０ｍに照射される。これにより、カラー映像がスクリーン１２０ｍに投写される。これにより、スクリーン１２０ｍがカラー映像を表示する画面になる。投写レンズ１１８ｍからなる光学系が他の光学系に置き換えられてもよい。
【００４０】
オフ光１６２ｍは、その光路上に配置される三原色光センサー１２２ｍに受光される。三原色光センサー１２２ｍは、受光したオフ光１６２ｍの色を示す刺激値Ｘ，ＹおよびＺを測定する。刺激値Ｘ，ＹおよびＺは、ＸＹＺ表色系における測色値である。刺激値Ｙは、輝度を示す輝度値である。後述する初期の調整に使用される光センサーが後述する使用中の調整に使用される光センサーと異なる場合は、使用中の調整に使用される光センサーは輝度値のみを測定するものであってもよい。後述する初期の調整に使用される光センサーが後述する使用中の調整に使用される光センサーと異なる場合は、使用中の調整に使用される光センサーが輝度値のみを測定してもよい。
【００４１】
ＤＭＤ１１６ｍは、赤色光１４８ｍ、緑色光１５０ｍおよび青色光１５２ｍの各々についてオフ光１６２ｍを生成する。このため、三原色光センサー１２２ｍは、オフ光１６２ｍを受光することにより、赤色光１４８ｍ、緑色光１５０ｍおよび青色光１５２ｍの色をそれぞれ示す赤色光１４８ｍ、緑色光１５０ｍおよび青色光１５２ｍの刺激値Ｘ，ＹおよびＺを含む三刺激値データＤＳＴｍを測定する。測定された三刺激値データＤＳＴｍは、常時出力される。三刺激値データＤＳＴｍからは、赤色光１４８ｍ、緑色光１５０ｍおよび青色光１５２ｍの輝度をそれぞれ示す赤色光１４８ｍ、緑色光１５０ｍおよび青色光１５２ｍの輝度値が導出され、赤色光１４８ｍ、緑色光１５０ｍおよび青色光１５２ｍの色度をそれぞれ示す赤色光１４８ｍ、緑色光１５０ｍおよび青色光１５２ｍの色度値が導出される。したがって、三原色光センサー１２２ｍは、赤色光１４８ｍ、緑色光１５０ｍおよび青色光１５２ｍの各々の輝度値および色度値を測定できる。三原色光センサー１２２ｍにより、マスター装置１０４ｍが使用されている間は、赤色光１４８ｍ、緑色光１５０ｍおよび青色光１５２ｍの各々の輝度の変化および色度の変化が常時監視される。
【００４２】
ダイクロイックミラー１１０ｍは、赤色光１４８ｍ、緑色光１５０ｍおよび青色光１５２ｍに共通の光路を進ませる。このため、１個の三原色光センサー１２２ｍにより赤色光１４８ｍ、緑色光１５０ｍおよび青色光１５２ｍの各々の輝度の変化および色度の変化が監視される。このことは、マスター装置１０４ｍを構成する部品のコストを低下させ、赤色光１４８ｍ、緑色光１５０ｍおよび青色光１５２ｍの各々の輝度の変化および色度の変化を監視するための光センサーを設置する場所の制約を減らすことに寄与する。
【００４３】
三原色光センサー１２２ｍは、スクリーン１２０ｍに照射されないオフ光１６２ｍを受光する。このため、輝度の変化および色度の変化の監視は、スクリーン１２０ｍへのカラー映像の表示を阻害せず、外光等の周囲環境の影響を受けにくい。
【００４４】
処理回路１２４ｍは、ＤＭＤ１１６ｍにおける合成光１５６ｍの変調を制御する。
【００４５】
スレーブ装置１０４ｓに備えられる光源１０８ｓ、ダイクロイックミラー１１０ｓ、リレーレンズ１１２ｓ、ＴＩＲプリズム１１４ｓ、デジタルミラーデバイス１１６ｓ、投写レンズ１１８ｓ、スクリーン１２０ｓおよび三原色光センサー１２２ｓは、それぞれマスター装置１０４ｍに備えられる光源１０８ｍ、ダイクロイックミラー１１０ｍ、リレーレンズ１１２ｍ、ＴＩＲプリズム１１４ｍ、デジタルミラーデバイス１１６ｍ、投写レンズ１１８ｍ、スクリーン１２０ｍおよび三原色光センサー１２２ｍと同様に動作する。このため、スレーブ装置１０４ｓにおいては、赤色ＬＥＤ１３２ｓ、緑色ＬＥＤ１３４ｓおよび青色ＬＥＤ１３６ｓが、それぞれ赤色光１４８ｓ、緑色光１５０ｓおよび青色光１５２ｓを発する。また、ダイクロイックミラー１１０ｓが、発せられた赤色光１４８ｓ、緑色光１５０ｓおよび青色光１５２ｓを合成し、合成光１５６ｓを生成する。さらに、ＤＭＤ１１６ｓは、照射された合成光１５６ｓを変調し、赤色光１４８ｓ、緑色光１５０ｓおよび青色光１５２ｓの各々についてオン光１６０ｓおよびオフ光１６２ｓを生成する。オン光１６０ｓは、スクリーン１２０ｓに照射される。三原色光センサー１２２ｓは、オフ光１６２ｓを受光し、赤色光１４８ｓ、緑色光１５０ｓおよび青色光１５２ｓの色をそれぞれ示す赤色光１４８ｓ、緑色光１５０ｓおよび青色光１５２ｓの刺激値Ｘ，ＹおよびＺを含む三刺激値データＤＳＴｓを測定する。
【００４６】
処理回路１２４ｍは、通信ケーブル１０６により処理回路１２４ｓに通信可能に接続される。処理回路１２４ｍは、ＲＳ２３２Ｃ等の通信規格にしたがって処理回路１２４ｓと通信する。
【００４７】
３  マルチ画面表示装置の調整
マルチ画面表示装置１００においては、マルチ画面表示装置１００の使用が開始された時に初期の調整が行われ、マルチ画面表示装置１００の使用が開始された後も使用中の調整が常時行われる。
【００４８】
初期の調整においては、スクリーン１２０ｍおよび１２０ｓの各々に表示される映像において輝度および色度がそれぞれ目標輝度および目標色度に近づけられ、その結果としてスクリーン１２０ｓに表示される映像における輝度および色度がそれぞれスクリーン１２０ｍに表示される映像における輝度および色度に近づけられ、マルチ画面１４４において輝度および色度が均一になる。
【００４９】
使用中の調整においては、スクリーン１２０ｍおよび１２０ｓの各々に表示される映像において輝度および色度がそれぞれ目標輝度および目標色度から変化するが、スクリーン１２０ｓに表示される映像における輝度および色度がそれぞれスクリーン１２０ｍに表示される映像における輝度および色度に近づけられ、マルチ画面１４４において輝度および色度が均一になる。
【００５０】
４  初期の調整
マスター装置１０４ｍについては、マスター装置１０４ｍが工場において製造された時に、赤色、緑色および青色の映像がスクリーン１２０ｍに表示され、カラーアナライザー等の測定器により、表示された赤色、緑色および青色の映像の色をそれぞれ示す赤色の刺激値Ｘ，ＹおよびＺ、緑色の刺激値Ｘ，ＹおよびＺならびに青色の刺激値Ｘ，ＹおよびＺを含む三刺激値データＳＣＲｍが測定されている。測定された三刺激値データＳＣＲｍは、記憶装置１２６ｍに記憶させられる。三刺激値データＳＣＲｍは、マスター装置１０４ｍがスクリーン１２０ｍに表示することができる色の範囲（以下では「マスター装置１０４ｍの色再現範囲」という。）等のマスター装置１０４ｍの表示特性を示す。
【００５１】
スレーブ装置１０４ｓについては、スレーブ装置１０４ｓが工場において製造された時に、赤色、緑色および青色の映像がスクリーン１２０ｓに表示され、カラーアナライザー等の測定器により、表示された赤色、緑色および青色の映像の色をそれぞれ示す赤色の刺激値Ｘ，ＹおよびＺ、緑色の刺激値Ｘ，ＹおよびＺならびに青色の刺激値Ｘ，ＹおよびＺを含む三刺激値データＳＣＲｓが測定されている。測定された三刺激値データＳＣＲｓは、記憶装置１２６ｓに記憶させられる。三刺激値データＳＣＲｓは、スレーブ装置１０４ｓがスクリーン１２０ｓに表示することができる色の範囲（以下では「スレーブ装置１０４ｓの色再現範囲」という。）等のスレーブ装置１０４ｓの表示特性を示す。
【００５２】
処理回路１２８ｍは、記憶装置１２６ｍに記憶させられている三刺激値データＳＣＲｍを取得し、記憶装置１２６ｓに記憶させられている三刺激値データＳＣＲｓを処理回路１２４ｍと処理回路１２４ｓとの間の通信を利用して取得する。
【００５３】
処理回路１２８ｍは、取得した三刺激値データＳＣＲｍおよびＳＣＲｓから共通の色再現範囲を算出し、算出した共通の色再現範囲からマルチ画面１４４における目標輝度および目標色度を算出する。共通の色再現範囲は、マスター装置１０４ｍの色再現範囲とスレーブ装置１０４ｓの色再現範囲とが重なり合う範囲である。目標輝度および目標色度は、それぞれｘｙ色度図において共通の色再現範囲を囲む輪郭線が有する主要な頂点の位置における輝度および色度である。目標輝度および目標色度を算出する方法については、特許第４８２３６６０号明細書にも記載されている。目標輝度および目標色度を算出する方法が変更されてもよい。
【００５４】
処理回路１２４ｍは、算出された目標輝度および目標色度ならびに三刺激値データＳＣＲｍに基づいて、スクリーン１２０ｍに表示される映像において目標輝度および目標色度が得られるように入力された映像信号を補正し、補正された映像信号をＤＭＤ１１６ｍに入力する。
【００５５】
処理回路１２４ｓは、算出された目標輝度および目標色度を処理回路１２４ｍと処理回路１２４ｓとの間の通信を利用して取得し、取得した目標輝度および目標色度ならびに三刺激値ＳＣＲｓに基づいて、スクリーン１２０ｓに表示される映像において目標輝度および目標色度が得られるように入力された映像信号を補正し、補正された映像信号をＤＭＤ１１６ｓに入力する。
【００５６】
これにより、マルチ画面表示装置１００の使用が開始された時に、スクリーン１２０ｍおよび１２０ｓの各々に表示される映像において輝度および色度がそれぞれ目標輝度および目標色度に近づけられ、スクリーン１２０ｓに表示される映像における輝度および色度がそれぞれスクリーン１２０ｍに表示される映像における輝度および色度に近づけられ、マルチ画面１４４に表示される映像において輝度および色度が均一になる。
【００５７】
初期の調整が他の方法により行われてもよい。
【００５８】
５  使用中の調整
５．１  使用中の調整の必要性
初期の調整により、マルチ画面表示装置１００の使用が開始された時に、スクリーン１２０ｍおよび１２０ｓの各々に表示される映像において輝度および色度がそれぞれ目標輝度および目標色度に近づけられ、スクリーン１２０ｓに表示される映像における輝度および色度がそれぞれスクリーン１２０ｍに表示される映像における輝度および色度に近づけられ、マルチ画面１４４において輝度および色度が均一になる。
【００５９】
しかし、赤色光１４８ｍ、緑色光１５０ｍ、青色光１５２ｍ、赤色光１４８ｓ、緑色光１５０ｓおよび青色光１５２ｓの各々の輝度は、マルチ画面表示装置１００の使用時間が長くなるにつれて低下する。このため、スクリーン１２０ｍおよび１２０ｓの各々に表示される映像においては、使用時間が長くなるにつれて輝度が目標輝度から低下し色度が目標色度から変化する。このため、マルチ画面１４４に表示される映像において輝度および色度が不均一になる場合がある。
【００６０】
そこで、使用中の調整が行われ、スクリーン１２０ｍおよび１２０ｓの各々に表示される映像において輝度および色度がそれぞれ目標輝度および目標色度から変化した場合であっても、スクリーン１２０ｓに表示される映像における輝度および色度がそれぞれスクリーン１２０ｍに表示される映像における輝度および色度に近づけられ、マルチ画面１４４に表示される映像において輝度および色度が均一にされる。使用中の調整は、望ましくはマルチ画面表示装置１００が使用されている間は常時行われる。
【００６１】
５．２  最低維持率
図３は、マスター装置における輝度維持率の使用時間による変化の例を示すグラフである。
【００６２】
図３においては、横軸に使用時間がとられ、縦軸に輝度維持率がとられている。図３には、赤色ＬＥＤ１３２ｍ、緑色ＬＥＤ１３４ｍおよび青色ＬＥＤ１３６ｍの各々に同じ電流Ｉが流された場合の赤色ＬＥＤ１３２ｍの寿命カーブ１６６ｍ、緑色ＬＥＤ１３４ｍの寿命カーブ１６８ｍおよび青色ＬＥＤ１３６ｍの寿命カーブ１７０ｍが示される。寿命カーブ１６６ｍ，１６８ｍおよび１７０ｍは、それぞれ赤色光１４８ｍの輝度維持率Ｒｍ、緑色光１５０ｍの輝度維持率Ｇｍおよび青色光１５２ｍの輝度維持率Ｂｍの使用時間による変化を示す。輝度維持率Ｒｍ，ＧｍおよびＢｍは、それぞれ赤色光１４８ｍ、緑色光１５０ｍおよび青色光１５２ｍの初期の輝度値に対する赤色光１４８ｍ、緑色光１５０ｍおよび青色光１５２ｍの使用中の輝度値の比である。赤色光１４８ｍ、緑色光１５０ｍおよび青色光１５２ｍの初期の輝度値は、マルチ画面表示装置１００の使用が開始された時に測定されている。寿命カーブ１６６ｍは、駆動信号のデューティー比ＤＣが２５％でありジャンクション温度Ｔｊが８５℃である場合のものである。寿命カーブ１６８ｍは、駆動信号のデューティー比ＤＣが５０％でありジャンクション温度Ｔｊが１０５℃である場合のものである。寿命カーブ１７０ｍは、駆動信号のデューティー比ＤＣが２５％でありジャンクション温度Ｔｊが１２５℃である場合のものである。ジャンクション温度Ｔｊは、ＬＥＤチップの発光層の温度である。
【００６３】
図４は、スレーブ装置における輝度維持率の使用時間による変化の例を示すグラフである。
【００６４】
図４においては、横軸に使用時間がとられ、縦軸に輝度維持率がとられている。図４には、赤色ＬＥＤ１３２ｓ、緑色ＬＥＤ１３４ｓおよび青色ＬＥＤ１３６ｓの各々に同じ電流Ｉが流された場合の赤色ＬＥＤ１３２ｓの寿命カーブ１６６ｓ、緑色ＬＥＤ１３４ｓの寿命カーブ１６８ｓおよび青色ＬＥＤ１３６ｓの寿命カーブ１７０ｓが示される。寿命カーブ１６６ｓ，１６８ｓおよび１７０ｓは、それぞれ赤色光１４８ｓの輝度維持率Ｒｓ、緑色光１５０ｓの輝度維持率Ｇｓおよび青色光１５２ｓの輝度維持率Ｂｓの使用時間による変化を示す。輝度維持率Ｒｓ，ＧｓおよびＢｓは、それぞれ赤色光１４８ｓ、緑色光１５０ｓおよび青色光１５２ｓの初期の輝度値に対する赤色光１４８ｓ、緑色光１５０ｓおよび青色光１５２ｓの使用中の輝度値の比である。赤色光１４８ｓ、緑色光１５０ｓおよび青色光１５２ｓの初期の輝度値は、マルチ画面表示装置１００の使用が開始された時に測定されている。寿命カーブ１６６ｓは、駆動信号のデューティー比ＤＣが２５％でありジャンクション温度Ｔｊが６０℃である場合のものである。寿命カーブ１６８ｓは、駆動信号のデューティー比ＤＣが５０％でありジャンクション温度Ｔｊが１２５℃である場合のものである。寿命カーブ１７０ｓは、駆動信号のデューティー比ＤＣが２５％でありジャンクション温度Ｔｊが１０５℃である場合のものである。
【００６５】
一般的に言って、投写型映像表示装置において光源として使用される赤色ＬＥＤの寿命は、投写型映像表示装置において光源として使用される緑色ＬＥＤおよび青色ＬＥＤの各々の寿命より短い。このため、図３に示されるように、赤色ＬＥＤ１３２ｍの寿命は、緑色ＬＥＤ１３４ｍおよび青色ＬＥＤ１３６ｍの各々の寿命より短く、輝度維持率Ｒｍは、輝度維持率ＧｍおよびＢｍの各々より急速に低下する。また、図４に示されるように、赤色ＬＥＤ１３２ｓの寿命は、緑色ＬＥＤ１３４ｓおよび青色ＬＥＤ１３６ｓの各々の寿命より短く、輝度維持率Ｒｓは、輝度維持率ＧｓおよびＢｓの各々より急速に低下する。
【００６６】
一般的に言って、ＬＥＤの寿命は、ジャンクション温度Ｔｊが高くなるほど短くなる。このため、図３および４に示されるように、ジャンクション温度Ｔｊが８５℃である赤色ＬＥＤ１３２ｍの寿命は、ジャンクション温度Ｔｊが６０℃である赤色ＬＥＤ１３２ｓの寿命より短く、輝度維持率Ｒｍは、輝度維持率Ｒｓより急速に低下する。また、ジャンクション温度Ｔｊが１２５℃である緑色ＬＥＤ１３４ｓの寿命は、ジャンクション温度Ｔｊが１０５℃である緑色ＬＥＤ１３４ｍの寿命より短く、輝度維持率Ｇｓは、輝度維持率Ｇｍより急速に低下する。さらに、ジャンクション温度Ｔｊが１２５℃である青色ＬＥＤ１３６ｍの寿命は、ジャンクション温度Ｔｊが１０５℃である青色ＬＥＤ１３６ｓの寿命より短く、輝度維持率Ｂｍは、輝度維持率Ｂｓより急速に低下する。
【００６７】
赤色光１４８ｍ、緑色光１５０ｍおよび青色光１５２ｍの輝度値は、それぞれ三刺激値データＤＳＴｍに含まれる赤色光１４８ｍ、緑色光１５０ｍおよび青色光１５２ｍの刺激値Ｙにより示され、赤色光１４８ｓ、緑色光１５０ｓおよび青色光１５２ｓの輝度値は、それぞれ三刺激値データＤＳＴｓに含まれる赤色光１４８ｓ、緑色光１５０ｓおよび青色光１５２ｓの刺激値Ｙにより示される。したがって、寿命カーブ１６６ｍ，１６８ｍおよび１７０ｍは、それぞれ三刺激値データＤＳＴｍに含まれる赤色光１４８ｍ、緑色光１５０ｍおよび青色光１５２ｍの刺激値Ｙの使用時間による変化を示し、寿命カーブ１６６ｓ，１６８ｓおよび１７０ｓは、それぞれ三刺激値データＤＳＴｓに含まれる赤色光１４８ｓ、緑色光１５０ｓおよび青色光１５２ｓの刺激値Ｙの使用時間による変化を示す。
【００６８】
赤色光１４８ｍ、緑色光１５０ｍおよび青色光１５２ｍの各々においては、三刺激値データＤＳＴｍに含まれる刺激値Ｙの使用時間による変化を示す変化率は、三刺激値データＤＳＴｍに含まれる刺激値ＸおよびＺの各々の使用時間による変化を示す変化率とほぼ同じである。したがって、赤色光１４８ｍ、緑色光１５０ｍおよび青色光１５２ｍの各々においては、三刺激値データＤＳＴｍに含まれる刺激値Ｘ，ＹおよびＺの比率は、使用時間によりほとんど変化しない。このことは、赤色光１４８ｍ、緑色光１５０ｍおよび青色光１５２ｍの各々の色度は使用時間によりほとんど変化しないことを示す。赤色光１４８ｓ、緑色光１５０ｓおよび青色光１５２ｓの各々の色度も、使用時間によりほとんど変化しない。
【００６９】
図５は、最低維持率となる輝度維持率の使用時間による変化の例を示すグラフである。
【００７０】
図５においては、横軸に使用時間がとられ、縦軸に輝度維持率がとられている。図５に示される寿命カーブ１７４は、図３に示される寿命カーブ１６６ｍおよび図４に示される寿命カーブ１６６ｓのうちの最も急速に低下している寿命カーブ１６６ｍに一致し、赤色光１４８ｍおよび１４８ｓの最低維持率Ｒｍｉｎとなる輝度維持率Ｒｍの使用時間による変化を示す。図５に示される寿命カーブ１７６は、図３に示される寿命カーブ１６８ｍおよび図４に示される寿命カーブ１６８ｓのうちの最も急速に低下している寿命カーブ１６８ｓに一致し、緑色光１５０ｍおよび１５０ｓの最低維持率Ｇｍｉｎとなる輝度維持率Ｇｓの使用時間による変化を示す。図５に示される寿命カーブ１７８は、図３に示される寿命カーブ１７０ｍおよび図４に示される寿命カーブ１７０ｓのうちの最も急速に低下している寿命カーブ１７０ｍに一致し、青色光１５２ｍおよび１５２ｓの最低維持率Ｂｍｉｎとなる輝度維持率Ｂｍの使用時間による変化を示す。
【００７１】
赤色光１４８ｍ、緑色光１５０ｍ、青色光１５２ｍ、赤色光１４８ｓ、緑色光１５０ｓおよび青色光１５２ｓの各々である各光の輝度は、各光の輝度値が各光の初期の輝度値に各光の輝度維持率を乗じたものより低くなるように制御することはできるが、各光の輝度値が各光の初期の輝度値に各光の輝度維持率を乗じたものより高くなるように制御することはできない。
【００７２】
このため、輝度維持率ＲｍおよびＲｓのうちの最低値である最低維持率Ｒｍｉｎが取得され、赤色光１４８ｍおよび１４８ｓの輝度値がそれぞれ赤色光１４８ｍおよび１４８ｓの初期の輝度値に最低維持率Ｒｍｉｎを乗じたもの以下になるように制御が行われなければならない。また、輝度維持率ＧｍおよびＧｓのうちの最低値である最低維持率Ｇｍｉｎが取得され、緑色光１５０ｍおよび１５０ｓの輝度値がそれぞれ緑色光１５０ｍおよび１５０ｓの初期の輝度値に最低維持率Ｇｍｉｎを乗じたもの以下になるように制御が行われなければならない。さらに、輝度維持率ＢｍおよびＢｓのうちの最低値である最低維持率Ｂｍｉｎが取得され、青色光１５２ｍおよび１５２ｓの輝度値がそれぞれ青色光１５２ｍおよび１５２ｓの初期の輝度値に最低維持率Ｂｍｉｎを乗じたもの以下になるように制御が行われなければならない。例えば、赤色光１４８ｍおよび１４８ｓの輝度値はがそれぞれ赤色光１４８ｍおよび１４８ｓの初期の輝度値に寿命カーブ１７４により示される最低維持率Ｒｍｉｎを乗じたもの以下になるように制御が行われなければならない。また、緑色光１５０ｍおよび１５０ｓの輝度値がそれぞれ緑色光１５０ｍおよび１５０ｓの初期の輝度値に寿命カーブ１７６により示される最低維持率Ｇｍｉｎを乗じたもの以下になるように制御が行われなければならない。さらに、青色光１５２ｍおよび１５２ｓの輝度値がそれぞれ青色光１５２ｍおよび１５２ｓの初期の輝度値に寿命カーブ１７８により示される最低維持率Ｂｍｉｎを乗じたもの以下になるように制御が行われなければならない。
【００７３】
このように制御が行われる場合は、赤色光１４８ｓ、緑色光１５０ｓおよび青色光１５２ｓの輝度をそれぞれ赤色光１４８ｍ、緑色光１５０ｍおよび青色光１５２ｍの輝度と同様に制御できる。このため、スクリーン１２０ｓに表示される映像における輝度および色度をそれぞれスクリーン１２０ｓに表示される映像における輝度および色度と同様に変化させることができる。したがって、マルチ画面１４４に表示される映像において、輝度および色度が不均一になることを抑制できる。
【００７４】
ただし、このように制御が行われた場合は、使用時間が長くなるにつれて赤色光１４８ｍの輝度、緑色光１５０ｍの輝度および青色光１５２ｍの輝度の比率が変化し、スクリーン１２０ｍに表示される映像において白の色度が変化する。また、使用時間が長くなるにつれて赤色光１４８ｓの輝度、緑色光１５０ｓの輝度および青色光１５２ｓの輝度の比率が変化し、スクリーン１２０ｓに表示される映像において白の色度が変化する。
【００７５】
そこで、最低維持率Ｒｍｉｎ，ＧｍｉｎおよびＢｍｉｎのうちの最低値が特定され、使用時間がある程度の時間に達するまでは、赤色光１４８ｍ、緑色光１５０ｍ、青色光１５２ｍ、赤色光１４８ｓ、緑色光１５０ｓおよび青色光１５２ｓの各々である各光の輝度が、各光の輝度値が各光の初期の輝度値に特定された最低値を乗じたものになるように制御される。
【００７６】
このように制御が行われる場合は、使用時間がある程度の時間に達するまでは、赤色光１４８ｍ、緑色光１５０ｍおよび青色光１５２ｍの各々の輝度が共通する最低値に基づいて同様に制御される。このため、使用時間が長くなるにつれて赤色光１４８ｍの輝度、緑色光１５０ｍの輝度および青色光１５２ｍの輝度の比率が変化することが抑制され、スクリーン１２０ｍに表示される映像において使用時間が長くなるにつれて色度が変化することが抑制される。また、使用時間がある程度の時間に達するまでは、赤色光１４８ｓ、緑色光１５０ｓおよび青色光１５２ｓの各々の輝度が共通する最低値に基づいて制御される。このため、使用時間が長くなるにつれて赤色光１４８ｓの輝度、緑色光１５０ｓの輝度および青色光１５２ｓの輝度の比率が変化することが抑制され、スクリーン１２０ｓに表示される映像において使用時間が長くなるにつれて色度が変化することが抑制される。
【００７７】
５．３  マスター装置における最低維持率の取得
図６は、マスター装置における最低維持率の取得の流れを示すフローチャートである。
【００７８】
図６に示されるステップＳ１０１においては、処理回路１２４ｍが、初期の三刺激値データＤＳＴｍならびに使用中の三刺激値データＤＳＴｍから、輝度維持率Ｒｍ，ＧｍおよびＢｍを算出し、処理回路１２８ｍへ送信する。これにより、処理回路１２８ｍは、輝度維持率Ｒｍ，ＧｍおよびＢｍを取得する。輝度維持率Ｒｍ，ＧｍおよびＢｍの送信は、常時行われる。
【００７９】
続くステップＳ１０２においては、処理回路１２８ｍが、処理回路１２４ｍと処理回路１２４ｓとの間の通信を利用して、輝度維持率Ｒｓ，ＧｓおよびＢｓを処理回路１２４ｓから受信する。これにより、処理回路１２８ｍは、輝度維持率Ｒｓ，ＧｓおよびＢｓを取得する。
【００８０】
続くステップＳ１０３においては、処理回路１２８ｍが、取得した輝度維持率ＲｍおよびＲｓから最低維持率Ｒｍｉｎを算出し、取得した輝度維持率ＧｍおよびＧｓから最低維持率Ｇｍｉｎを算出し、取得した輝度維持率ＢｍおよびＢｓから最低維持率Ｂｍｉｎを算出する。
【００８１】
続くステップＳ１０４においては、処理回路１２８ｍが、処理回路１２４ｍと処理回路１２４ｓとの間の通信を利用して、算出した最低維持率Ｒｍｉｎ，ＧｍｉｎおよびＢｍｉｎを処理回路１２４ｓへ送信する。
【００８２】
５．４  スレーブ装置における最低維持率の取得
図７は、スレーブ装置における最低維持率の取得の流れを示すフローチャートである。
【００８３】
図７に示されるステップＳ１１１においては、処理回路１２４ｓが、初期の三刺激値データＤＳＴｓおよび使用中の三刺激値データＤＳＴｓから、輝度維持率Ｒｓ，ＧｓおよびＢｓを算出する。
【００８４】
続くステップＳ１１２においては、処理回路１２４ｓが、処理回路１２４ｍと処理回路１２４ｓとの間の通信を利用して、輝度維持率Ｒｓ，ＧｓおよびＢｓを処理回路１２８ｍへ送信する。輝度維持率Ｒｓ，ＧｓおよびＢｓの送信は、常時行われる。
【００８５】
続くステップＳ１１３においては、処理回路１２４ｓが、処理回路１２４ｍと処理回路１２４ｓとの間の通信を利用して、最低維持率Ｒｍｉｎ，ＧｍｉｎおよびＢｍｉｎを処理回路１２８ｍから受信する。
【００８６】
５．５  マスター装置およびスレーブ装置における輝度の制御
図８は、マスター装置における輝度の制御の流れを示すフローチャートである。
【００８７】
図９は、輝度の制御が行われた後の輝度維持率の使用時間による変化の例を示すグラフである。
【００８８】
図９においては、横軸に使用時間がとられ、縦軸に輝度維持率がとられている。図９に示される制御後カーブ１８８，１９０および１９２は、それぞれ輝度の制御が行われた後の赤色光１４８ｍ、緑色光１５０ｍおよび青色光１５２ｍの輝度維持率の使用時間による変化を示し、それぞれ輝度の制御が行われた後の赤色光１４８ｓ、緑色光１５０ｓおよび青色光１５２ｓの輝度維持率の使用時間による変化を示す。
【００８９】
図８に示されるステップＳ１２１においては、処理回路１２８ｍが、最低維持率Ｒｍｉｎ，ＧｍｉｎおよびＢｍｉｎに共通する閾値Ｌｖｔｈを設定する。図５および図９の各々には、閾値Ｌｖｔｈが９０％である場合における閾値Ｌｖｔｈを示す閾値ライン１８４が示される。
【００９０】
続くステップＳ１２２においては、処理回路１２４ｍが、３個の最低維持率Ｒｍｉｎ，ＧｍｉｎおよびＢｍｉｎのいずれかが閾値Ｌｖｔｈを下回ったと判定した場合は、処理をステップＳ１２４へ進め、そうでない場合は、処理をステップＳ１２３へ進める。
【００９１】
ステップＳ１２３においては、処理回路１２４ｍが、最低維持率Ｒｍｉｎ，ＧｍｉｎおよびＢｍｉｎのうちの最低値を特定し、赤色光１４８ｍ、緑色光１５０ｍおよび青色光１５２ｍのオン光１６０ｍの輝度値がそれぞれ赤色光１４８ｍ、緑色光１５０ｍおよび青色光１５２ｍのオン光１６０ｍの初期の輝度値に特定された最低値を乗じたものになるように赤色光１４８ｍ、緑色光１５０ｍおよび青色光１５２ｍのオン光１６０ｍの輝度を特定された最低値に基づいて制御し、処理を再びステップＳ１２２へ進める。輝度の制御は、映像信号が増幅される場合のゲインの設定等により行われる。最低維持率Ｒｍｉｎ，ＧｍｉｎおよびＢｍｉｎの使用時間による変化がそれぞれ図５に示される寿命カーブ１７４，１７６および１７８により示される場合は、最低維持率Ｒｍｉｎが最低維持率Ｒｍｉｎ，ＧｍｉｎおよびＢｍｉｎのうちの最低値になり、赤色光１４８ｍ、緑色光１５０ｍおよび青色光１５２ｍの各々の輝度が最低維持率Ｒｍｉｎに基づいて制御されるため、輝度維持率Ｒｍｉｎが閾値Ｌｖｔｈを下回る使用時間Ｔ１の前は、図５および図９に示されるように、制御後カーブ１８８，１９０および１９２の各々が寿命カーブ１７４に一致する。
【００９２】
ステップＳ１２２およびＳ１２３により、最低維持率Ｒｍｉｎ，ＧｍｉｎおよびＢｍｉｎが閾値Ｌｖｔｈを下回る最低維持率を含むようになる使用時間Ｔ１の前は、赤色光１４８ｍ、緑色光１５０ｍおよび青色光１５２ｍの輝度が共通する最低値に基づいて制御される。これにより、使用時間Ｔ１の前は、赤色光１４８ｍの輝度、緑色光１５０ｍの輝度および青色光１５２ｍの輝度の比率がほとんど変化せず、スクリーン１２０ｍに表示される映像において白の色度がほぼ一定に維持される。
【００９３】
ステップＳ１２４においては、処理回路１２４ｍが、最低維持率が閾値Ｌｖｔｈを下回った第１の色については処理をステップＳ１２５へ進め、最低維持率が閾値Ｌｖｔｈを下回っていない第２の色および第３の色については処理をステップＳ１２６へ進める。最低維持率Ｒｍｉｎ，ＧｍｉｎおよびＢｍｉｎの使用時間による変化がそれぞれ図５に示される寿命カーブ１７４，１７６および１７８により示される場合は、第１の色は赤色であり、第２の色は緑色であり、第３の色は青色である。
【００９４】
ステップＳ１２５においては、処理回路１２４ｍが、第１の色の光のオン光１６０ｍの輝度値が第１の色の光のオン光１６０ｍの初期の輝度値に第１の色の光の最低維持率を乗じたものとなるように第１の色の光のオン光１６０ｍの輝度を第１の色の光の最低維持率に基づいて制御する。ステップＳ１２６においては、処理回路１２４ｍが、第２の色の光のオン光１６０ｍの輝度値が第２の色の光のオン光１６０ｍの初期の輝度値に閾値Ｌｖｔｈを乗じたものとなるように第２の色の光のオン光１６０ｍの輝度を閾値Ｌｖｔｈに基づいて制御し、第３の色の光のオン光１６０ｍの輝度値が第３の色の光のオン光１６０ｍの初期の輝度値に閾値Ｌｖｔｈを乗じたものとなるように第３の色の光のオン光１６０ｍの輝度を閾値Ｌｖｔｈに基づいて制御する。最低維持率Ｒｍｉｎ，ＧｍｉｎおよびＢｍｉｎの使用時間による変化がそれぞれ図５に示される寿命カーブ１７４，１７６および１７８により示される場合は、使用時間Ｔ１の後であって輝度維持率Ｇｍｉｎが閾値Ｌｖｔｈを下回る使用時間Ｔ２の前は、赤色光１４８ｍの輝度が赤色光の最低維持率に基づいて制御され、緑色光１５０ｍおよび青色光１５２ｍの各々の輝度が閾値Ｌｖｔｈに基づいて制御されるため、図５および図９に示されるように、制御後カーブ１８８が寿命カーブ１７４に一致し、制御後カーブ１９０および１９２の各々が閾値ライン１８４に一致する。
【００９５】
続くステップＳ１２７においては、処理回路１２４ｍが、残りの２個の最低維持率のいずれかが閾値Ｌｖｔｈを下回ったと判定した場合は、処理をステップＳ１２８へ進め、そうでない場合は、処理を再びステップＳ１２６へ進める。
【００９６】
ステップＳ１２８においては、処理回路１２４ｍが、最低維持率が閾値Ｌｖｔｈを下回った第２の色については処理をステップＳ１２９へ進め、最低維持率が閾値Ｌｖｔｈを下回っていない第３の色については処理をステップＳ１３０へ進める。
【００９７】
ステップＳ１２９においては、処理回路１２４ｍが、第２の色の光のオン光１６０ｍの輝度値が第２の色の光のオン光１６０ｍの初期の輝度値に第２の色の光の最低維持率を乗じたものとなるように第２の色の光のオン光１６０ｍの輝度を第２の色の光の最低維持率に基づいて制御する。ステップＳ１３０においては、処理回路１２４ｍが、第３の色の光のオン光１６０ｍの輝度値が第３の色の光のオン光１６０ｍの初期の輝度値に閾値Ｌｖｔｈを乗じたものとなるように第３の色の光のオン光１６０ｍの輝度を閾値Ｌｖｔｈに基づいて制御する。最低維持率Ｒｍｉｎ，ＧｍｉｎおよびＢｍｉｎの使用時間による変化がそれぞれ図５に示される寿命カーブ１７４，１７６および１７８により示される場合は、使用時間Ｔ２の後であって輝度維持率Ｂｍｉｎが閾値Ｌｖｔｈを下回る使用時間Ｔ３の前は、緑色光１５０ｍの輝度が緑色光の最低維持率に基づいて制御され、青色光１５２ｍの輝度が閾値Ｌｖｔｈに基づいて制御されるため、図５および図９に示されるように、制御後カーブ１９０が寿命カーブ１７６に一致し、制御後カーブ１９２が閾値ライン１８４に一致する。制御後カーブ１８８が寿命カーブ１７４に一致する状態も維持される。
【００９８】
続くステップＳ１３１においては、処理回路１２４ｍが、残りの１個の最低維持率が閾値Ｌｖｔｈを下回ったと判定した場合は、処理をステップＳ１３２へ進め、そうでない場合は、処理を再びステップＳ１３０へ進める。
【００９９】
ステップＳ１３２においては、処理回路１２４ｍが、第３の色の光のオン光１６０ｍの輝度が第３の色の光のオン光１６０ｍの初期の輝度に第３の色の光の最低維持率を乗じたものとなるように第３の色の光のオン光１６０ｍを第３の色の光の最低維持率に基づいて制御する。最低維持率Ｒｍｉｎ，ＧｍｉｎおよびＢｍｉｎの使用時間による変化がそれぞれ図５に示される寿命カーブ１７４，１７６および１７８により示される場合は、使用時間Ｔ３の後においては、青色光１５２ｍの輝度が青色光の最低維持率Ｂｍに基づいて制御されるため、図５および図９に示されるように、制御後カーブ１９２が寿命カーブ１７８に一致する。制御後カーブ１８８および１９０がそれぞれ寿命カーブ１７４および１７６に一致する状態も維持される。
【０１００】
ステップＳ１２４からＳ１３２までにより、閾値を下回る最低維持率を有する光が生じるごとに、生じた光の輝度を当該光の最低維持率に基づいて制御することが開始され、閾値Ｌｖｔｈを下回らない最低維持率を有する光の輝度が閾値Ｌｖｔｈに基づいて制御される。このため、最低維持率Ｒｍｉｎ，ＧｍｉｎおよびＢｍｉｎが閾値Ｌｖｔｈを下回る最低維持率を含む場合は、閾値を下回る最低維持率を有する光の輝度が当該光の最低維持率に基づいて制御される。また、最低維持率Ｒｍｉｎ，ＧｍｉｎおよびＢｍｉｎが閾値Ｌｖｔｈを下回らない最低維持率をさらに含むときは、閾値Ｌｖｔｈを下回らない最低維持率を有する光の輝度が閾値Ｌｖｔｈに基づいて制御される。
【０１０１】
ステップＳ１２４からＳ１３２までにより、最低維持率Ｒｍｉｎ，ＧｍｉｎおよびＢｍｉｎが閾値Ｌｖｔｈを下回る最低維持率を含むようになる使用時間Ｔ１の後は、閾値Ｌｖｔｈを下回る最低維持率を有する光の輝度が当該光の最低維持率に基づいて制御されるが、閾値Ｌｖｔｈを下回らない最低維持率を有する光の輝度が閾値Ｌｖｔｈに基づいて制御される。このため、閾値Ｌｖｔｈを下回らない最低維持率を有する光の輝度が大きく低下することが抑制され、スクリーン１２０ｍに表示される映像において輝度が大きく低下することが抑制される。
【０１０２】
上記のマスター装置１０４ｍにおける輝度の制御についての説明は、マスター装置１０４ｍ、処理回路１２４ｍ、スクリーン１２０ｍ、赤色光１４８ｍ、緑色光１５０ｍおよび青色光１５２ｍをそれぞれスレーブ装置１０４ｓ、処理回路１２４ｓ、スクリーン１２０ｓ、赤色光１４８ｓ、緑色光１５０ｓおよび青色光１５２ｓに読み替えること等により、スレーブ装置１０４ｓにおける輝度の制御についての説明になる。スレーブ装置１０４ｓにおいては、閾値Ｌｖｔｈが処理回路１２４ｓにおいて設定される。
【０１０３】
マスター装置１０４ｍおよびスレーブ装置１０４ｓの各々において上記の輝度の制御が行われた場合は、赤色光１４８ｍおよび１４８ｓの各々の輝度が共通する閾値Ｌｖｔｈまたは最低維持率Ｒｍｉｎ，ＧｍｉｎおよびＢｍｉｎのうちの最低値に基づいて制御され、緑色光１５０ｍおよび１５０ｓの各々の輝度が共通する閾値Ｌｖｔｈまたは最低維持率Ｒｍｉｎ，ＧｍｉｎおよびＢｍｉｎのうちの最低値に基づいて制御され、青色光１５２ｍおよび１５２ｓの各々の輝度が共通する閾値Ｌｖｔｈまたは最低維持率Ｒｍｉｎ，ＧｍｉｎおよびＢｍｉｎのうちの最低値に基づいて制御される。このため、スクリーン１２０ｓに表示される映像における輝度および色度がそれぞれスクリーン１２０ｍに表示される映像における輝度および色度と同様に変化する。したがって、マルチ画面１４４に表示される映像おいて使用時間が長くなるにつれて輝度および色度が不均一になることが抑制される。
【０１０４】
５．６  先行技術との対比
この実施の形態のマルチ画面表示装置１００によれば、使用時間がある程度の時間に達するまでは、スクリーン１２０ｍおよび１２０ｓの各々に表示される映像において白の色度がほぼ一定に維持される。また、使用時間がある程度の時間に達した後は、赤色光１４８ｍの輝度、緑色光１５０ｍの輝度および青色光１５２ｍの輝度の比率が変化することが許容され、赤色光１４８ｓの輝度、緑色光１５０ｓの輝度および青色光１５２ｓの輝度の比率が変化することが許容されるため、スクリーン１２０ｍおよび１２０ｓの各々に表示される映像において白の色度が徐々に変化する。しかし、使用時間がある程度の時間に達した後は、マスター装置１０４ｍおよびスレーブ装置１０４ｓの各々において、相対的に高い輝度維持率を有する色の光の輝度が相対的に低い輝度維持率を有する色の光の輝度に追随せず大きく低下しない。このため、スクリーン１２０ｍおよび１２０ｓの各々に表示される映像において輝度が大きく低下せず、マルチ画面１４４に表示される映像において輝度が大きく低下せず、マルチ画面１４４に表示される映像の階調を豊かにすることができる。
【０１０５】
図１０は、特開平１０−９０６４５号公報に記載された技術が援用されたマルチ画面表示装置における輝度の制御が行われた後の輝度維持率の使用時間による変化の例を示すグラフである。
【０１０６】
図１０においては、横軸に使用時間がとられ、縦軸に輝度維持率がとられている。図１０に示される制御後カーブ１９６，１９８および２００は、それぞれ輝度の制御が行われた後の赤色光、緑色光および青色光の輝度維持率の使用時間による変化を示す。
【０１０７】
当該マルチ画面表示装置においては、マスター装置に備えられるスクリーンおよびスレーブ装置に備えられるスクリーンの各々に表示される映像において白の色度が常に一定に維持される。しかし、マスター装置およびスレーブ装置の各々において相対的に高い輝度維持率を有する色の光の輝度が相対的に低い輝度維持率を有する色の光の輝度に追随し大きく低下する。例えば、図１０に示されるように、制御後カーブ１９８および２００の各々が寿命カーブ１７４に一致し、緑色光および青色光の各々の輝度が赤色光の輝度に追随する。このため、マスター装置に備えられるスクリーンおよびスレーブ装置に備えられるスクリーンの各々に表示される映像において輝度が大きく低下し、マルチ画面に表示される映像において輝度が大きく低下する。
【０１０８】
このような相違により、この実施の形態のマルチ画面表示装置１００によれば、通信系統図、運行系統図等の原色を基調とし色再現性が重要視されない映像がマルチ画面１４４に表示される場合等に、マルチ画面１４４に表示される映像において輝度および色度が不均一になることが抑制され、スクリーン１２０ｍおよび１２０ｓの各々に表示される映像において輝度が特定の輝度まで低下するまでの時間、例えば、輝度が初期の輝度の半分になるまでの時間が伸びる。このため、マスター装置１０４ｍまたはスレーブ装置１０４ｓを交換する回数が減り、光源１０８ｍまたは１０８ｓのみを交換する回数が減り、マルチ画面表示装置１００を保全するのに必要なコストが低下する。
【０１０９】
６  ３個以上の投写型映像表示装置
２個の投写型映像表示装置が３個以上の投写型映像表示装置に置き換えられる場合は、第１の投写型映像表示装置において算出される赤色光の輝度維持率および第２の投写型映像表示装置において算出される赤色光の輝度維持率のうちの最低値を第１の赤色光の最低維持率にする第１の処理が行われ、第ｉ−１の赤色光の最低維持率および第ｉ＋１の投写型映像表示装置において算出される赤色光の輝度維持率のうちの最低値を第ｉの赤色光の最低維持率にする第ｉの処理がｉ＝２，・・・，ｎ−１の各々について行われ、算出された第ｎ−１の赤色光の最低維持率が制御の基礎となる赤色光の最低維持率として取得される。緑色光の最低維持率および青色光の最低維持率も同様に取得される。
【０１１０】
７  閾値
図５および９の各々に示されるように閾値Ｌｖｔｈが９０％である場合は、最低維持率Ｒｍｉｎ，ＧｍｉｎおよびＢｍｉｎの各々は、使用時間が１００，０００時間に達する前に閾値Ｌｖｔｈを下回る。例えば、最低維持率Ｒｍｉｎは、使用時間が１，７００時間に達した時に閾値Ｌｖｔｈを下回り、最低維持率Ｇｍｉｎは、使用時間が１０，５００時間に達した時に閾値Ｌｖｔｈを下回り、最低維持率Ｂｍｉｎは、使用時間が６５，０００時間に達した時に閾値Ｌｖｔｈを下回る。
【０１１１】
図１１は、最低維持率となる輝度維持率の使用時間による変化の例を示すグラフである。
【０１１２】
図１１においては、横軸に使用時間がとられ、縦軸に輝度維持率がとられている。図１１に示される寿命カーブ２０４，２０６および２０８は、それぞれ図５に示される寿命カーブ１７４，１７６および１７８と同じものである。図１１には、閾値Ｌｖｔｈが６０％である場合における閾値Ｌｖｔｈを示す閾値ライン２１２が示される。
【０１１３】
閾値Ｌｖｔｈは、９０％以外であってもよく、図１１に示されるように６０％であってもよい。図１１に示されるように閾値Ｌｖｔｈが６０％である場合は、最低維持率Ｒｍｉｎは、使用時間が２５，０００時間に達した時に閾値Ｌｖｔｈを下回る。しかし、最低維持率ＧｍｉｎおよびＢｍｉｎの各々は、使用時間が１００，０００時間に達する前に閾値Ｌｖｔｈを下回らない。
【０１１４】
図１２は、輝度の制御が行われた後の輝度維持率の使用時間による変化の例を示すグラフである。
【０１１５】
図１２においては、横軸に使用時間がとられ、縦軸に輝度維持率がとられている。図１２に示される制御後カーブ２１６，２１８および２２０は、閾値Ｌｖｔｈが６０％である場合に、それぞれ輝度の制御が行われた後の赤色光１４８ｍ、緑色光１５０ｍおよび青色光１５２ｍの輝度維持率の使用時間による変化を示す。
【０１１６】
閾値Ｌｖｔｈが６０％である場合は、図１２に示されるように、使用時間が２５，０００時間に達する前は、赤色光１４８ｍ、緑色光１５０ｍおよび青色光１５２ｍの各々の輝度が赤色光１４８ｍおよび１４８ｓの最低維持率に基づいて制御される。また、使用時間が２５，０００時間に達した後は、赤色光１４８ｍの輝度が赤色光１４８ｍおよび１４８ｓの最低維持率に基づいて制御され、緑色光１５０ｍおよび青色光１５２ｍの各々の輝度が閾値Ｌｖｔｈに基づいて制御される。したがって、スクリーン１２０ｍに表示される映像において白の色度がほぼ一定に維持される使用時間が２５，０００時間まで延長される。また、使用時間が２５，０００時間に達した後は、赤色光１４８ｍの輝度が低下するため、スクリーン１２０ｍに表示される映像において、白の色度が徐々に変化するが、緑色光１５０ｍおよび青色光１５２ｍの各々の輝度が大きく低下しないため、スクリーン１２０ｍに表示される映像において、輝度が大きく低下せず、特開平１０−９０６４５号公報に記載された技術が援用された場合よりも最終的に高い輝度が得られる。スクリーン１２０ｓについても、同様のことが言える。
【０１１７】
閾値Ｌｖｔｈが０％である場合は、マルチ画面表示装置１００の使用が開始されてから赤色ＬＥＤ１３２ｍ、緑色ＬＥＤ１３４ｍおよび青色ＬＥＤｍが寿命に達するまで、スクリーン１２０ｍに表示される映像において白の色度が常に一定に維持される。また、マルチ画面表示装置１００の使用が開始されてから赤色ＬＥＤ１３２ｓ、緑色ＬＥＤ１３４ｓおよび青色ＬＥＤ１３６ｓが寿命に達するまで、スクリーン１２０ｓに表示される映像において白の色度が常に一定に維持される。一方、閾値Ｌｖｔｈが１００％である場合は、マルチ画面表示装置１００の使用が開始されてから赤色ＬＥＤ１３２ｍ、緑色ＬＥＤ１３４ｍおよび青色ＬＥＤ１３６ｍが寿命に達するまで、スクリーン１２０ｍに表示される映像において白の色度が徐々に変化するが、赤色光１４８ｍ、緑色光１５０ｍおよび青色光１５２ｍの各々の輝度がマルチ画面１４４において輝度および色度を均一にできる範囲内の最高の輝度に維持される。また、マルチ画面表示装置１００の使用が開始されてから赤色ＬＥＤ１３２ｓ、緑色ＬＥＤ１３４ｓおよび青色ＬＥＤ１３６ｓが寿命に達するまで、スクリーン１２０ｓに表示される映像において白の色度が徐々に変化するが、赤色光１４８ｓ、緑色光１５０ｓおよび青色光１５２ｓの各々の輝度がマルチ画面１４４において輝度および色度を均一にできる範囲内の最高の輝度に維持される。したがって、閾値Ｌｖｔｈを０％と１００％との間から選択することにより、マルチ画面１４４において輝度および色度を均一にする方法を任意に選択できる。
【０１１８】
８  三原色光センサーの精度
使用後の調整が適切に行われるためには、三原色光センサー１２２ｍは、三刺激値データＤＳＴｍに含まれる刺激値Ｘ，ＹおよびＺの使用時間による変化を示す変化率がそれぞれスクリーン１２０ｍに表示される映像の刺激値Ｘ，ＹおよびＺの使用時間による変化を示す変化率とほぼ同じになる程度の精度を有しなければならない。また、三原色光センサー１２２ｓは、三刺激値データＤＳＴｓに含まれる刺激値Ｘ，ＹおよびＺの使用時間による変化を示す変化率がそれぞれスクリーン１２０ｓに表示される映像の刺激値Ｘ，ＹおよびＺの使用時間による変化を示す変化率とほぼ同じになる程度の精度を有しなければならない。
【０１１９】
あらかじめ記憶させられている三刺激値データＳＣＲｍおよびＳＣＲｓに基づく初期の調整が行われる場合は、三刺激値データＤＳＴｍに含まれる刺激値Ｘ，ＹおよびＺの比率がスクリーン１２０ｍに表示される映像の刺激値Ｘ，ＹおよびＺの比率と異なってもよく、刺激値Ｘ，ＹおよびＺの各々について、三刺激値データＤＳＴｍに含まれる赤色光１４８ｍの刺激値、緑色光１５０ｍの刺激値および青色光１５２ｍの刺激値の比率がスクリーン１２０ｍに表示される赤色の映像の刺激値、スクリーン１２０ｍに表示される緑色の映像の刺激値およびスクリーン１２０ｍに表示される青色の映像の刺激値の比率と異なってもよい。また、三刺激値データＤＳＴｓに含まれる刺激値Ｘ，ＹおよびＺの比率がスクリーン１２０ｓに表示される映像の刺激値Ｘ，ＹおよびＺの比率と異なってもよく、刺激値Ｘ，ＹおよびＺの各々について、三刺激値データＤＳＴｓに含まれる赤色光１４８ｓの刺激値、緑色光１５０ｓの刺激値および青色光１５２ｓの刺激値の比率がスクリーン１２０ｓに表示される赤色の映像の刺激値、スクリーン１２０ｓに表示される緑色の映像の刺激値およびスクリーン１２０ｓに表示される青色の映像の刺激値の比率と異なってもよい。この場合は、三刺激値データＤＳＴｍから導出される赤色光１４８ｍ、緑色光１５０ｍおよび青色光１５２ｍの色度値がそれぞれスクリーン１２０ｍに表示される赤色、緑色および青色の映像の色度値と異なり、三刺激値データＤＳＴｍから導出される赤色光１４８ｍの輝度値、緑色光１５０ｍの輝度値および青色光１５２ｍの輝度値の比率がスクリーン１２０ｍに表示される赤色の映像の輝度値、スクリーン１２０ｍに表示される緑色の映像の輝度値およびスクリーン１２０ｍに表示される青色の映像の輝度値の比率と異なる。また、三刺激値データＤＳＴｓから導出される赤色光１４８ｓ、緑色光１５０ｓおよび青色光１５２ｓの色度値がそれぞれスクリーン１２０ｓに表示される赤色、緑色および青色の映像の色度値と異なり、三刺激値データＤＳＴｓから導出される赤色光１４８ｓの輝度値、緑色光１５０ｓの輝度値および青色光１５２ｓの輝度値の比率がスクリーン１２０ｓに表示される赤色の映像の輝度値、スクリーン１２０ｓに表示される緑色の映像の輝度値およびスクリーン１２０ｓに表示される青色の映像の輝度値の比率と異なる。
【０１２０】
しかし、望ましくは、三原色光センサー１２２ｍは、三刺激値データＤＳＴｍに含まれる刺激値Ｘ，ＹおよびＺの比率がスクリーン１２０ｍに表示される映像の刺激値Ｘ，ＹおよびＺの比率とほぼ同じになり、刺激値Ｘ，ＹおよびＺの各々について、三刺激値データＤＳＴｍに含まれる赤色光１４８ｍの刺激値、緑色光１５０ｍの刺激値および青色光１５２ｍの比率がスクリーン１２０ｍに表示される赤色の映像の刺激値、スクリーン１２０ｍに表示される緑色の映像の刺激値およびスクリーン１２０ｍに表示される青色の映像の刺激値の比率とほぼ同じになる程度の高い精度を有する。また、三原色光センサー１２２ｓは、三刺激値データＤＳＴｓに含まれる刺激値Ｘ，ＹおよびＺの比率がスクリーン１２０ｓに表示される映像の刺激値Ｘ，ＹおよびＺの比率とほぼ同じになり、刺激値Ｘ，ＹおよびＺの各々について、三刺激値データＤＳＴｓに含まれる赤色光１４８ｍの刺激値、緑色光１５０ｍの刺激値および青色光１５２ｍの比率がスクリーン１２０ｓに表示される赤色の映像の刺激値、スクリーン１２０ｓに表示される緑色の映像の刺激値およびスクリーン１２０ｓに表示される青色の映像の刺激値の比率とほぼ同じになる程度の高い精度を有する。この場合は、三刺激値データＤＳＴｍから導出される赤色光１４８ｍ、緑色光１５０ｍおよび青色光１５２ｍの色度値がそれぞれスクリーン１２０ｍに表示される赤色、緑色および青色の映像の色度値とほぼ同じであり、三刺激値データＤＳＴｍから導出される赤色光１４８ｍの輝度値、緑色光１５０ｍの輝度値および青色光１５２ｍの輝度値の比率がそれぞれスクリーン１２０ｍに表示される赤色の映像の輝度値、スクリーン１２０ｍに表示される緑色の映像の輝度値およびスクリーン１２０ｍに表示される青色の映像の輝度値の比率とほぼ同じである。また、三刺激値データＤＳＴｓから導出される赤色光１４８ｓ、緑色光１５０ｓおよび青色光１５２ｓの色度値がスクリーン１２０ｓに表示される赤色、緑色および青色の映像の色度値とほぼ同じであり、三刺激値データＤＳＴｓから導出される赤色光１４８ｓの輝度値、緑色光１５０ｓの輝度値および青色光１５２ｓの輝度値の比率がスクリーン１２０ｓに表示される赤色の映像の輝度値、スクリーン１２０ｓに表示される緑色の映像の輝度値およびスクリーン１２０ｓに表示される青色の映像の輝度値の比率とほぼ同じである。
【０１２１】
三原色光センサー１２２ｍおよび１２２ｓの各々がこのように高い精度を有する場合は、三刺激値データＤＳＴｍからスクリーン１２０ｍに表示される映像の刺激値Ｘ，ＹおよびＺが精度よく特定され、三刺激値データＤＳＴｓからスクリーン１２０ｓに表示される映像の刺激値Ｘ，ＹおよびＺが精度よく特定される。このため、三刺激値データＳＣＲｍおよびＳＣＲｓに代えて三刺激値データＤＳＴｍおよび三刺激値データＤＳＴｓに基づいて初期の調整が行われてもよい。すなわち、三刺激値データＳＣＲｍおよびＳＣＲｓをそれぞれ記憶装置１２６ｍおよび１２６ｓに記憶させる必要がなくなり、マスター装置１０４ｍおよびスレーブ装置１０４ｓについてそれぞれ三刺激値データＳＣＲｍおよびＳＣＲｓを測定しておく必要がなくなる。これにより、マルチ画面表示装置１００が実際に設置される環境においてスクリーン１２０ｍおよび１２０ｓの各々に表示される映像の刺激値Ｘ，ＹおよびＺに基づいて初期の調整が行われ、初期の調整がより精度よく行われる。この利点は、マルチ画面表示装置１００を実際に設置する環境の温度がマルチ画面表示装置１００を製造する工場の環境の温度と大きく異なる場合に特に顕著になり、マルチ画面表示装置１００を実際に設置する環境におけるジャンクション温度Ｔｊがマルチ画面表示装置１００を製造する工場の環境におけるジャンクション温度Ｔｊと大きく異なる場合に特に顕著になる。ジャンクション温度Ｔｊは、ＬＥＤが発する光の輝度に大きな影響を与えるからである。
【０１２２】
なお、本発明は、その発明の範囲内において、実施の形態を適宜、変形、省略することが可能である。
【符号の説明】
【０１２３】
１００  マルチ画面表示装置、１０４ｍ  マスター投写型映像表示装置（マスター装置）、１０４ｓ  スレーブ投写型映像表示装置（スレーブ装置）、１１０ｍ，１１０ｓ  ダイクロイックミラー、１１６ｍ，１１６ｓ  デジタルミラーデバイス（ＤＭＤ）、１２０ｍ，１２０ｓ  スクリーン、１２２ｍ，１２２ｓ  三原色光センサー、１３２ｍ，１３２ｓ  赤色ＬＥＤ、１３４ｍ，１３４ｓ  緑色ＬＥＤ、１３６ｍ，１３６ｓ  青色ＬＥＤ、１４０ｍ，１４０ｓ  輝度制御部。
【図１】
2017168901.tif 000003
【図２】
2017168901.tif 000004
【図３】
2017168901.tif 000005
【図４】
2017168901.tif 000006
【図５】
2017168901.tif 000007
【図６】
2017168901.tif 000008
【図７】
2017168901.tif 000009
【図８】
2017168901.tif 000010
【図９】
2017168901.tif 000011
【図１０】
2017168901.tif 000012
【図１１】
2017168901.tif 000013
【図１２】
2017168901.tif 000014